(57)【要約】【課題】簡単な構造で、錠剤が入れられた薬瓶を緩衝的に収容し、強い衝撃から守り、内容物である錠剤の破損を防ぐ緩衝機能付包装用箱を提供する。【解決手段】一枚の箱体形成片１２から成り、筒体に組み立てられた側面１４，１６，１８，２０と、筒体の下方の開口端部を閉鎖する底部９６と、互いに対向する一対の側面１６，２０の下端部に連接して設けられ底部９６の内側に重ねられる一対の底フラップ４６，８４を備える。一対の底フラップ４６，８４の端部に連接して、緩衝部５０を各々備える。緩衝部５０は、底フラップ４６，８４の端部に連接し、底フラップ４６，８４から略直角に箱体内に立ち上がる立ち上がり片５４と、各立ち上がり片５４の端部と底フラップ４６，８４が設けられた側面１６，２０の高さの途中部分に連続する支持片５６を備える。支持片５６の中央付近には各々透孔６６を有する。支持片５６は、透孔６６の周囲に細く切り残された形状である。【選択図】図１
2020079093.tif 000002
【特許請求の範囲】
【請求項１】
一枚の箱体形成片から成り、筒体に組み立てられた側面と、前記筒体の下方の開口端部を閉鎖する底部と、互いに対向する前記一対の側面の下端部に連接して設けられ前記底部の内側に重ねられる一対の底フラップと、前記一対の底フラップの端部に連接して緩衝部が各々設けられている緩衝機能付包装用箱において、
前記緩衝部は、前記底フラップの端部に連接し前記底フラップから略直角に箱体内に立ち上がる立ち上がり片と、前記立ち上がり片の端部と前記底フラップが設けられた前記側面の高さの途中部分に連続する支持片が設けられ、
前記支持片の中央付近には透孔が形成され、これにより前記支持片は、前記透孔の周囲に細く切り残された形状であることを特徴とする緩衝機能付包装用箱。
【請求項２】
前記透孔は、楕円を短軸で半分に切断した形状であり、短軸の直線部分は前記立ち上がり片に沿って位置し、曲線の部分は前記支持片の中に位置して、前記底フラップが設けられた前記側面から離間している請求項１記載の緩衝機能付包装用箱。
【請求項３】
前記支持片の、前記立ち上がり片とは反対側の端部には前記側面に糊付けされる取付片が緩衝部折罫線を介して設けられ、前記緩衝部折罫線には折り曲げやすいように切断線が設けられ、前記切断線の長さは、前記緩衝部折罫線の長さに対して２５〜６０％の長さである請求項１又は２記載の緩衝機能付包装用箱。
【発明の詳細な説明】
【技術分野】
【０００１】
この発明は、錠剤を収容した錠剤入り薬瓶を包装するための緩衝機能付包装用箱に関する。
【背景技術】
【０００２】
従来、医薬品等の錠剤を収容したガラス製又はプラスチック製の薬瓶を包装する包装用箱がある。この様な包装用箱は、紙製等のシートから一体的に打ち抜かれて形成された箱体形成片を折り曲げて糊付けし、引き起こして立体的に組み立てられており、収容物を保護する緩衝機能を備えたものもある。
【０００３】
例えば、特許文献１に開示されている包装箱は、箱本体の開口端部より端片を伸延させて形成し、端片の外端部を箱本体の開口端部よりやや内側に固定し、開口端部と固定部の間の端片を屈曲させて箱本体の端部に、緩衝用の空間を形成するものである。
【０００４】
特許文献２の緩衝機能付底ワンタッチ組函は、側面を筒体に引き起こす時に自動的に底部が形成されるワンタッチタイプ底を有し、互いに対向する一対の側面に各々連続する一対の底板が設けられ、底板の端部に連続して底板から略直角に箱体内に立ち上がる前支え板と、前支え板の端部に連続して底板に対して略平行に互いに近づく方に折り曲げられる折り返しフラップと、折返しフラップに糊付けされる緩衝板が設けられている。緩衝板は、底板に対して略平行に位置し、収容物の底部を緩衝的に支持する。
【０００５】
特許文献３の緩衝機能付包装用箱は、側面と糊付片で組み立てられた箱体の端部を閉鎖する蓋片と、互いに対向する一対の側面に連続し蓋片の内側に沿って折り曲げられた一対のフラップと、フラップの端部に連続してフラップから略直角に箱体内に立ち上がる第１支持片と、第１支持片の端部に連続してフラップに対して略平行に位置する第２支持片が各々設けられているものである。第２支持片は、収容物の底部を緩衝的に支持する。
【先行技術文献】
【特許文献】
【０００６】
【特許文献１】特開平３−２７５４３７号公報
【特許文献２】特開２００５−２５５２３８号公報
【特許文献３】特開２００８−１４３５６５号公報
【発明の概要】
【発明が解決しようとする課題】
【０００７】
上記背景技術の場合、収容物が錠剤入り薬瓶等であり、薬瓶が破損しないように端片や緩衝板、第２支持片等、薬瓶の底部を支持する部材は適度な剛性を有する板状体である。しかし、落下等の際に強い衝撃が加えられると薬瓶に収容されている錠剤の破損が発生することがあり、上記特許文献に開示された包装用箱は、錠剤の破損を防ぐことは考えられていない。
【０００８】
この発明は、上記背景技術の問題点に鑑みてなされたものであり、簡単な構造で、錠剤が入れられた薬瓶を緩衝的に収容し、強い衝撃から守り、内容物である錠剤の破損を防ぐ緩衝機能付包装用箱を提供することを目的とする。
【課題を解決するための手段】
【０００９】
本発明は、一枚の箱体形成片から成り、筒体に組み立てられた側面と、前記筒体の下方の開口端部を閉鎖する底部と、互いに対向する前記一対の側面の下端部に連接して設けられ前記底部の内側に重ねられる一対の底フラップと、前記一対の底フラップの端部に連接して緩衝部が各々設けられている緩衝機能付包装用箱である。前記緩衝部は、前記底フラップの端部に連接し前記底フラップから略直角に箱体内に立ち上がる立ち上がり片と、前記立ち上がり片の端部と前記底フラップが設けられた前記側面の高さの途中部分に連続する支持片が設けられている。前記支持片の中央付近には透孔が形成され、これにより前記支持片は、前記透孔の周囲に細く切り残された形状となっている。
【００１０】
前記透孔は、楕円を短軸で半分に切断したような形状であり、短軸の直線部分は前記立ち上がり片に沿って位置し、曲線の部分は前記支持片の中に位置し、前記底フラップが設けられた前記側面から離間している。
【００１１】
前記支持片の、前記立ち上がり片とは反対側の端部には前記側面に糊付けされる取付片が緩衝部折罫線を介して設けられ、前記緩衝部折罫線には折り曲げやすいように切断線が設けられ、前記切断線の長さは、前記緩衝部折罫線の長さに対して３０〜５０％の長さである。前記切断線は、例えば前記緩衝部折罫線の長さを２等分に分けて２本の切断線とし、互いに所定間隔開けて設けている。
【発明の効果】
【００１２】
本発明の緩衝機能付包装用箱は、簡単な構造で、錠剤が入れられた薬瓶を緩衝的に収容し、強い衝撃から守り、内容物である錠剤の破損を防ぐことができる。
【図面の簡単な説明】
【００１３】
【図１】この発明の一実施形態の緩衝機能付包装用箱の部分破断斜視図である。
【図２】この実施形態の緩衝機能付包装用箱の展開図である。
【図３】この実施形態の緩衝機能付包装用箱の組立工程を示す裏面から見た展開図である。
【図４】この実施形態の緩衝機能付包装用箱の斜視図である。
【発明を実施するための形態】
【００１４】
以下、この発明の実施形態について図面に基づいて説明する。図１〜図４はこの発明の一実施形態を示すもので、この実施形態の緩衝機能付包装用箱１０は、紙製のシートを打ち抜いて形成された箱体形成片１２を組み立てて設けられている。図２は箱体形成片１２を表面から見た展開図であり、箱体形成片１２は、側面１４，１６，１８，２０が、互いに平行に連接して形成されている。側面１４，１６，１８，２０はほぼ同じ形状であり、連接方向に交差する幅方向が長い矩形である。さらに側面１４の側縁部には、緩衝機能付包装用箱１０の組立状態で側面２０の裏面に糊付けされる糊付片２２が設けられている。糊付片２２、側面１４，１６，１８，２０は、各々折罫線２４，２６，２８，３０で区切られている。
【００１５】
側面１４において、側面同士の連接方向に対して直角な方向の一方の端部１４ａには、中心に、側面１４の中央側へ凹となる開封用凹部３２が形成されている。開封用凹部３２は側面１４の中央側へくぼむ半円形状である。側面１４の端部１４ａとは反対側の端部１４ｂに隣接する部分には、円弧形状の廃棄用破断線３６が設けられている。廃棄用破断線３６は、端部１４ｂから離れる方向に膨出する緩やかな円弧形状であり、廃棄用破断線３６の両端部は、端部１４ｂの両端部付近に達している。端部１４ｂには、矩形の外側底蓋片３８が折罫線４０で区切られて設けられている。外側底蓋片３８は、緩衝機能付包装用箱１０の組立状態で、筒体となった側面１４，１６，１８，２０の端部の矩形の開口部を閉鎖する大きさである。
【００１６】
側面１６の、側面１４の端部１４ａに隣接する端部には、側面１６の端部を下底とする小さい台形状の上フラップ４２が折罫線４４で区切られて設けられている。側面１６の、折罫線４４とは反対側の端部には、矩形の底フラップ４６が折罫線４８で区切られて設けられている。底フラップ４６は、折罫線４８に対して直角方向の長さは、外側底蓋片３８の約半分であり、緩衝機能付包装用箱１０を組み立てて外側底蓋片３８により形成された底部９６の中心に僅かに達しないものである。
【００１７】
底フラップ４６の、折罫線４８とは反対側の端部４６ａには、緩衝部５０が、折罫線５２で区切られて連続して設けられている。緩衝部５０は、まず、端部４６ａに連続して、立ち上がり片５４と、支持片５６、取付片５８が順に設けられ、端部４６ａに対して平行な折罫線６０，緩衝部折罫線６２で各々区切られている。
【００１８】
立ち上がり片５４は矩形であり、底フラップ４６の端部４６ａに対して平行な幅は底フラップ４６よりも少し短く、端部４６ａに対して直角方向の長さは底フラップ４６よりも短く半分以下である。立ち上がり片５４には、補強のための押罫６４が折罫線５２、つまり端部４６ａに対して略直角に設けられている。押罫６４は直線で、複数本が等間隔に設けられている。ここでは押罫６４は６本である。
【００１９】
支持片５６は、変形した六角形であり、立ち上がり片５４との間を区切る折罫線６０に対して平行な幅は立ち上がり片５４とほぼ同じであり、折罫線６０に対して直角方向の長さは立ち上がり片５４よりも長く底フラップ４６とほぼ同じである。支持片５６の、外側底蓋片３８側に位置する側縁部５６ａは、立ち上がり片５４の側縁部に連続し、支持片５６の連接方向、つまり折罫線２６に対して平行な直線である。支持片５６の、側縁部５６ａとは反対側の側縁部５６ｂは、折罫線６０に近い部分は立ち上がり片５４の側縁部に連続し、立ち上がり片５４とは反対側の遠い部分は鈍角のＬ字形に切り欠かれ、細くなり、緩衝部折罫線６２に対して直角に交差して達している。緩衝部折罫線６２は、折罫線６０よりも短くなる。
【００２０】
支持片５６の中央付近には、透孔６６が設けられている。透孔６６は、楕円を短軸で半分に切断したような形状であり、短軸の直線部分は折罫線６０の中間付近に沿って位置し、反対側の曲線の部分は支持片５６の中に位置し、連続する取付片５８には達していない。これにより支持片５６は、シートの面積が小さくなり、透孔６６の周囲に細く切り残された形状となり、柔軟性が高くなる。
【００２１】
取付片５８は矩形であり、支持片５６との間を区切る緩衝部折罫線６２に対して平行な長さは緩衝部折罫線６２の長さとほぼ同じであり、緩衝部折罫線６２に対して直角方向の長さは、底フラップ４６や支持片５６よりも短く、立ち上がり片５４よりはすこし長い。
【００２２】
折罫線４８，５２及び緩衝部折罫線６２には、折り曲げ易いように、断続する切断線が任意の長さと任意の間隔で設けられている。なお、緩衝部折罫線６２に設けられた切断線６３の長さは、支持片５６の破れ防止のため、緩衝部折罫線６２の長さに対して約２５〜６０％の長さである。約２５〜６０％の任意の長さを２等分に分けて２本の切断線６３とし、互いに所定間隔開けて設けている。
【００２３】
側面１８の、側面１６の折罫線４４に隣接する部分には、矩形の上蓋片６８が折罫線７０で区切られて設けられている。上蓋片６８は、緩衝機能付包装用箱１０の組立状態で、筒体となった側面１４，１６，１８，２０の端部の矩形の開口部を閉鎖する大きさである。上蓋片６８の、折罫線７０と反対側の端部には、封止片７２が折罫線７４で区切られて設けられている。封止片７２は、折罫線７４を下底とする台形状である。封止片７２には、封止片７２の、折罫線７４に隣接する部分に、円弧形状の開封用破断線７６が設けられている。開封用破断線７６は、折罫線７４から離れる方向に膨出する緩やかな円弧形状であり、開封用破断線７６の両端部は、封止片７２の折罫線７４に交差する一対の側縁部７２ａに達している。開封用破断線７６の長手方向の中心付近には、開封用孔部７８が設けられている。開封用孔部７８は三日月形状であり、内側の円弧は開封用破断線７６の円弧に沿っており、外側の円弧は封止片７２の先端へ向かって膨出している。側面１８の、折罫線７０とは反対側の端部には、矩形の内側底蓋片７７が折罫線７９で区切られている。内側底蓋片７７は、外側底蓋片３８よりも少し小さい矩形である。
【００２４】
側面２０の、側面１８の折罫線７０に隣接する部分には、上フラップ４２と同形状の上フラップ８０が折罫線８２で区切られて設けられている。側面２０の、折罫線８２とは反対側の端部には、底フラップ４６と同形状の底フラップ８４が折罫線８６で区切られて設けられている。
【００２５】
フラップ８４の、折罫線８６と反対側の端部８４ａにも、緩衝部５０が折罫線５２で区切られて連続して設けられている。緩衝部５０は、フラップ８４の端部８４ａに連接して、立ち上がり片５４、支持片５６、取付片５８が、折罫線６０，緩衝部折罫線６２で各々区切られて連続して設けられている。立ち上がり片５４には押罫６４が設けられ、支持片５６には透孔６６が設けられている。
【００２６】
次に、この実施形態の緩衝機能付包装用箱１０の組立方法の一例について説明する。なお、ここでは図２が緩衝機能付包装用箱１０の箱体形成片１２の表面を見たものであり、箱体形成片１２の表面が凸になる折り方を正折り、そして裏面が凸になる折り方を逆折りと称する。
【００２７】
まず、一対の取付片５８の裏面に糊８８を塗布し、折罫線５２を正折りする。すると、取付片５８の裏面は糊８８により側面１６又は側面２０の裏面に糊付けされ、図３に示す状態となる。なお、図３は、箱体形成片１２の裏面を見たものである。
【００２８】
次に、糊付片２２の表面に糊９０を塗布し、折罫線２６を正折りし、次に折罫線３０を正折りする。これにより、側面２０の裏面は糊９０により糊付片２２の表面に糊付けされ、折り畳み状態となり、この状態で箱体形成片１２による折り畳み状態の緩衝機能付包装用箱１０が、商品である収容物を包装する工場へ出荷される。
【００２９】
次に、収容物を収容し包装する工場において、折罫線２４，２６，２８，３０を各々９０°に正折りして四角形の筒体にする。次に、封止片７２の裏面に、折罫線７４とは反対側の端部に沿って糊９２を塗布し、折罫線４４，８２で上フラップ４２，８０を９０°に正折りし、上蓋片６８を折罫線７０で正折りし、さらに封止片７２を折罫線７４で正折りし、封止片７２を側面１４の表面に重ねる。封止片７２の裏面と側面１４の表面を糊９２により糊付けし、側面１４，１６，１８，２０で形成された筒体の一方の端面が形成される。
【００３０】
そして、他方の端部の開口部から商品である錠剤入り薬瓶１１を入れる。この時、錠剤入り薬瓶１１の天面が上蓋片６８側となるように入れる。錠剤入り薬瓶１１は、例えば錠剤が３００錠から１０００錠程度入ったプラスチック製容器やガラス製容器である。錠剤の他にカプセル剤等を入れたものでも良い。そして、折罫線４８，８６で底フラップ４６，８４を９０°に正折りする。すると、図１に示すように、折罫線５２，６０は正折りされ、緩衝部折罫線６２は逆折りされ、一対の立ち上がり片５４は底フラップ４６，８４に対して略直角に立ち上がり、一対の支持片５６は底フラップ４６，８４に対して略平行に位置する。一対の支持片５６に連続する一対の取付片５８は、側面１６，側面２０に糊８８で糊付けされているため、確実に支持片５６を保持し、一対の緩衝部５０をコの字形に互いに対向させて所定位置に固定する。さらに、一対の立ち上がり片５４同士が対向し、楕円を半分にした形状の一対の透孔６６は、連接して一つの楕円形状となる。
【００３１】
次に、外側底蓋片３８の裏面に、折罫線４０とは反対側の端部に沿って糊９４を塗布し、内側底蓋片７７を折罫線７９で９０°に正折りし、次に外側底蓋片３８を折罫線４０で９０°に正折りする。これにより、外側底蓋片３８の裏面は内側底蓋片７７の表面に糊９４により糊付けされ、筒体の他方の端部の開口部が閉鎖され、箱体の底部９６が形成される。これにより、図４に示すように緩衝機能付包装用箱１０の包装が完了する。なお、糊付けや組み立ての順番はこれ以外でも良い。
【００３２】
緩衝機能付包装用箱１０を開封する時は、封止片７２の開封用孔部７８に指を入れて少し押し、開封用破断線７６を切断しながら引き上げる。封止片７２は開封用破断線７６により二つに分割され、折罫線７４に近い部分は糊付けされていないため、側面１４から離れ、上蓋片６８が開封される。封止片７２の、折罫線７４に近いこの部分は上蓋片６８に連続して再封用のフラップとなり、錠剤入り薬瓶１１を再び包装する際は、側面１４の裏面に差し込んで係止し、上蓋片６８を閉じた状態で係止する。封止片７２の、折罫線７４とは反対側の端部を含む部分は、糊９２により側面１４に糊付けされた状態で残る。
【００３３】
図１に示すように、対向する一対の緩衝部５０は、内側底蓋片７７と外側底蓋片３８で組み立てられた底部９６に押さえられて立体形状を維持する。錠剤入り薬瓶１１の底面が、略水平な一対の支持片５６に支持され、底部９６から離間して収容される。支持片５６には透孔６６が形成されて曲がり易くなり、柔軟性があり、衝撃を受けて柔軟に変形し、錠剤入り薬瓶１１に強い振動や細かい振動が伝わることを防ぐ。一対の透孔６６が対向して形成する楕円形の中心には、一対の立ち上がり片５４が位置し、柔軟な支持片５６がたわみ過ぎて錠剤入り薬瓶１１が底部９６に接触することがない。
【００３４】
この実施形態の緩衝機能付包装用箱１０によれば、簡単な構造で、高い緩衝機能を有し、錠剤が入れられた錠剤入り薬瓶１１を緩衝的に収容し、内容物である錠剤の破損を防ぐことができる。錠剤入り薬瓶１１は、撓みやすい支持片５６に当接して保持され、衝撃を受けて柔軟に変形し、錠剤入り薬瓶１１に強い振動や細かい振動が伝わることを防ぐ。このことから、錠剤入り薬瓶１１の内容物である錠剤が破損することを避けることができ、安全に錠剤を輸送と保管を行うことができる。また、錠剤入り薬瓶１１のビン本体を、良好に保護することができる。支持片５６は、透孔６６が設けられ、シート面の面積が小さく、透孔６６の周囲に細く切り残された簡単な形状であり、なおかつ上下方向に衝撃を受けると撓みやすく、柔軟に変形することができる。しかし、支持片５６の一方の端部は取付片５８により側面１６，２０に確実に糊付けされ、反対側の端部は立ち上がり片５４により底部９６から離間して保持され、上下方向に衝撃を受けてたわんでも、錠剤入り薬瓶１１が底部９６に接触することを防ぐ。また、立ち上がり片５４には、垂直方向に押罫６４が設けられているため、補強され撓むことが無い。支持片５６は、取付片５８を介して側面１６，２０に連結されているため、衝撃を側面１６，２０に伝えることで錠剤への直接的な衝撃を緩和することができる。
【００３５】
支持片５６と取付片５８の間にある緩衝部折罫線６２には、切断線６３が設けられているため、容易に折り曲げることができ、底フラップ４６，８４を側面１６，２０に対して直角に組み立てる時に、容易に緩衝部５０をコの字形に組み立てることができる。機械で自動的に組み立てる際もきれいになる。切断線６３が、緩衝部折罫線６２に対して長すぎると、衝撃等の影響で緩衝部折罫線６２が切断される恐れがあるが、切断線６３の長さは緩衝部折罫線６２の長さの２５〜６０％に設定されているため、緩衝部折罫線６２が切断されることを防ぐことができる。また、切断線６３が短すぎると折れ曲がりにくくなるが、切断線６３の長さは緩衝部折罫線６２の長さの２５〜６０％に設定されているため、容易に折り曲げることができる。
【００３６】
開封した緩衝機能付包装用箱１０は、封止片７２の折罫線７４に近い部分がフラップとなるため、再封することができ、便利である。そして、封止片７２の折罫線７４に近い部分を側面１４の裏面に差し込んで再封した後、側面１４の開封用凹部３２から露出する封止片７２を押し上げて簡単に開けることができる。
【００３７】
なお、この発明は上記実施形態に限定されるものではなく、上蓋片や底部の構造、各フラップ等の形状や大きさ、数等、適宜変更可能である。収容物は錠剤入り薬瓶以外でもよい。箱体形成片の素材は、紙以外に合成樹脂や合成樹脂と紙を積層したもの等、自由に選択可能である。立ち上がり片の押罫の本数や間隔は自由に変更可能であり、補強が不要な場合は、無くてもよい。支持片の透孔の形状は、支持片の残された部分が確実にたわむものであれば自由に変更可能である。開封用破断線や開封用孔部、廃棄用破断線等の形状や取り付け位置は、上記以外でもよい。緩衝部の、立ち上がり片、支持片、取付片の連接方向の幅は、上記実施形態以外でも良く、例えば互いに同じでも良い。連接方向の長さも、収容物に合わせて適宜変更可能である。各折罫線は、折り曲げ易くするために破断線等で設けてもよい。
【符号の説明】
【００３８】
１０  緩衝機能付包装用箱
１１  錠剤入り薬瓶
１２  箱体形成片
１４，１６，１８，２０  側面
４６，８４  底フラップ
５０  緩衝部
５４  立ち上がり片
５６  支持片
５８  取付片
６２  緩衝部折罫線
６３  切断線
６６  透孔
９６  底部
【図１】
2020079093.tif 000003
【図２】
2020079093.tif 000004
【図３】
2020079093.tif 000005
【図４】
2020079093.tif 000006